(57)【要約】【課題】ハードディスク装置を、内蔵ハードディスク装置と短期使用の外付けハードディスク装置のどちらにも使用可能のハードディスク梱包箱を提供する。【解決手段】箱状で、材質は段ボールなどであり、展開及び組み立てができ、天蓋板２１、底板２０、側板２２、２２、２３、３０で構成される。側板２２の切れ目線により電源ケーブル２及びインターフェースケーブル３の差込口１１、１２を有する。天蓋板及び底板の切れ目線及び折り目線により開口でき外気を通す開口部４０、４１を有する。天蓋板の開口部４１に残った開口片が、折り目線によって内側へ断面コの字状に折られハードディスク装置を押さえる第一緩衝部となる。また、底板の開口部４０の両端に残った一対の開口片が、折り目線によって内側へ折られてハードディスク装置を両側から挟持する第二緩衝部となる。【選択図】図1
2007320638.tif 000002
【特許請求の範囲】
【請求項１】
電子機器に内蔵できるハードディスク装置（１）を収納し展示販売するための梱包箱（１０）を兼ね、使用者の意思によってパソコンに外付けで接続する際に簡易な筐体として利用できる梱包箱（１０）であり、材質は段ボールや段ボール紙を含む紙、またはポリプロピレン板状発泡体を含むプラスチックダンボールなどのプラスチック樹脂であり、展開及び組み立てができ、組み立てた状態で直方体の箱状であり、前記直方体は６つの面のうち広い面積の対向する２つの面が天蓋板（２１）及び底板（２０）で構成され、狭い面積の残りの４つの面が側板（２２、２２、２３、３０）で構成され、以下の構成部分ａ、ｂ、ｃ、ｄを有することを特徴とするハードディスク梱包箱。
ａ  前記側板（２２）に形成された切れ目線により開口できる電源ケーブル（２）及びインターフェースケーブル（３）の差込口（１１、１２、）
ｂ  前記天蓋板（２１）及び底板（２０）に形成された切れ目線及び折り目線により開口でき外気を取り込み排出する開口部（４０、４１）
ｃ  前記天蓋板（２１）の開口部（４１）に残った開口片が、折り目線によって内側へ断面コの字状に折られて形成され前記ハードディスク装置（１）を内側へ押さえる第一緩衝部（４５、４６）
ｄ  前記底板（２０）の開口部（４０）の両端に残った一対の開口片が、折り目線によって内側へ折られて前記ハードディスク装置（１）を両側から挟持する第二緩衝部（４２、４３、４４）と、この第二緩衝部（４２、４３、４４）に形成された切れ目線及び折り目線により断面略Ｙの字状に構成された部分と、この断面略Ｙの字状の基部で前記ハードディスク装置（１）の側面に接面する接面緩衝部（４３）と、前記断面略Ｙの字状の一方の先端で前記梱包箱（１０）の奥側の内角部に当接する当接緩衝片（４４）と、前記断面略Ｙの字状の他方の先端で前記ハードディスク装置（１）の奥側の外角部に係止する係止緩衝片（４２）。
【請求項２】
前記梱包箱（１０）は、ハードディスク装置（１）の簡易な筐体として、側面（３０）が下になる縦置として利用される際に、安定のために取り付けて使用される組み立てスタンド（４）を有し、この組み立てスタンド（４）は、材質は段ボールや板紙を含む紙、またはポリプロピレン板状発泡体を含むプラスチックダンボールなどのプラスチック樹脂であり、以下の構成部分ａ、ｂ、ｃを有することを特徴とするハードディスク梱包箱。
ａ  四角形以上の多角形で形成し梱包箱（１０）の側面（３０）よりも幅が広いスタンド底部（５０）
ｂ  前記多角形の少なくとも一対の相対する辺部で折り目線によって立ち上がる折り曲げ側板（５３）
ｃ  前記折り曲げ側板（５３）を立ち上げた状態で前記スタンド底部（５０）の四隅で、環状筒型の幅太輪ゴム（５）を係止して表裏折返し矩形平面化させ、この矩形の一対の相対する辺部を前記スタンド底部（５０）の下面に位置させ、他の一対の相対する辺部を前記折り曲げ側板（５３）の外面に位置させた前記環状筒型の幅太輪ゴム（５）。
【発明の詳細な説明】
【技術分野】
【０００１】
この発明は、パソコンなどのハードディスク装置を収納し展示販売するための梱包箱に関する。
【背景技術】
【０００２】
ハードディスク装置は、１９５６年ＩＢＭ社のＲＡＭＡＣから始まって半世紀の間に目を見張る技術進歩と市場発展を遂げた。ハードディスク装置は、外部記憶装置分類において大容量且つ高速性で他の追従を許さず代表的な位置づけにあり、ヘッド・媒体技術、インターフェース技術等の技術革新が記録密度や性能を向上させビットコストの低減を図ってきた。
【０００３】
このことにより需要先もパーソナル・コンピュータ（パソコン）にとどまることなく、外付けストレージ、ＵＳＢ接続機器、プリンタ、コピー、ルータ、構内電話交換機、  産業ロボット、計測制御機器、パーソナルビデオレコーダ、ハードディスク内蔵ＤＶＤレコーダ、デジタルビデオレコーダ、セットトップボックス、デジタルジュークボックス、デジタルオーディオレコーダ、リムーバブルハードディスク、ケーブルテレビアダプタ、デジタルカメラ、デジタルビデオカメラ、パーソナルビデオプレーヤ、ビデオビューア、パーソナルメディアプレーヤ、携帯オーディオプレーヤ、薄型テレビ、携帯電話、ＰＤＡ、携帯ＧＰＳ、カーナビゲーション、家庭用ゲーム機、アーケードゲーム機など、記録機器や写真・映像機器、家庭用AV機器、産業機器、携帯機器、娯楽機器、自動車関連機器、セキュリティ機器の多岐に及ぶ分野の電子機器でさまざまな用途に使用され、時代ごと市場ニーズにマッチした形状、規格が考えられ常にストレージデバイスの中核を担ってきた。
【０００４】
また、ハードディスク装置は、磁気による記録装置だが、人間が生存していくのと同じようにハードディスク装置にも仕様上における温度、湿度、気圧、振動、衝撃等ある程度の環境制限があり、さらに可動部のある機械であるため故障することもある。
ハードディスク装置の故障はシステム全体の運用停止に陥ることもあり、大容量化が進めば進むほど万一の時の被害も甚大である。
【０００５】
この課題に対しても安価なハードディスク装置を複数台組み合わせ全体を1つの  記憶装置のように制御し、データを分散記録することで、高速化を図りシステムを停止させることなく、障害を復旧できるホットスワップ機能やオートリビルド機能およびＳＭＡＲＴ(Self Monitoring and Analysis Reporting Technology)と呼ばれるハードディスク装置の故障発生を予測する技術を用いての自己診断機能等を備えたＲＡＩＤ（Redundant Arrays of Inexpensive DisksまたはRedundant Arrays of Independent Disksの略称）が現れ信頼性と耐障害性や高速性の向上を実現するための技術として幅広く活用されている。
【０００６】
現在このＲＡＩＤに適したハードディスク装置のインターフェース規格として、従来からのＡＴＡ（Advanced Technology Attachment）、ＳＣＳＩ（Small Computer Systems Interface）のパラレル・インターフェースに加えて、安価で高速、そして電源投入のまま活線挿抜できるホットスワップ機能やより低いシグナリング電圧、少ないコネクタ・ピン数、およびピーク電流の低減を図るためのスピンアップ制御機能を有したＳＡＴＡ（Serial ATA）やそのＳＡＴＡの物理的な特性を継承しているＳＡＳ（Serial Attached SCSI）が米国ANSI（American National Standards Institute）の下部組織であるINCITS(InterNational Committee on Information Technology Standards)の委員会（http://www.t10.org/）（http://www.t13.org/）によって標準化されたインターフェース規格がある。
【発明の開示】
【発明が解決しようとする課題】
【０００７】
＜バックアップの課題＞
前述のＲＡＩＤを用いることで物理的な耐障害性が向上してもまだ完璧ではなく、ウイルス感染や上書き削除のオペレーションミス、アプリケーショントラブルなどの論理的な要因でのデータ消失は防げない。このような事態からデータを守るためには、データを別の媒体にコピーする  バックアップ環境を構築しておく必要がある。
【０００８】
しかし、このバックアップはハードディスク装置の平均故障間隔（ＭＴＢＦ：
Mean Time Between Failure）がいまや５０〜１００万時間以上と言われ、安全で壊れないイメージのあるハードディスク装置のデータを別の媒体にコピーすることに対しての過剰防衛感があったりコストアップと時間と手間、そのうえウイルス感染を他人事とする風潮が根強くバックアップ習慣を阻害している。また従来のバックアップ環境は資源とエネルギーを多く使っていた。
【０００９】
＜内蔵ハードディスク装置の課題＞
次に、内蔵ハードディスク装置は設置場所が確保されているが、交換設置に時間と手間がかかりハードディスク装置自体とデータの可搬性に課題がある。
また、緩衝材（ブリスターパック）や静電防止袋から出された裸のハードディスク装置の障害主要因は過衝撃以外に静電気放電（ESD：Electro Static Discharge）がある。静電気放電はハードディスク装置の取替え交換時に多く致命的かつ驚異となり、例えばオフィースでのカーペット歩行や椅子立行為後ハードディスク装置の導電体に触れると、簡単にハードディスク装置の半導体デバイスやヘッドを破壊してしまう現象である。この現象において静電気の帯電電圧約１ＫＶ以下 の場合に人は放電すら知覚できず、過衝撃に比べ自覚に乏しく交換するハードディスク装置の被害だけにとどまらず、二次的に過大な電流が流れ続けるラッチアップ現象等にもつながり他の装置にも影響する。
このため内蔵ハードディスク装置をそのままで外付けハードディスク装置として使用する場合は、静電気対策が不可欠である。
【００１０】
＜外付けハードディスク装置の課題＞
次に外付けハードディスク装置は、内蔵ハードディスク装置にインターフェースと電源と放熱構造を備えた筐体が組み合わされた装置であると言える。
このため外付けハードディスク装置は、装置自体とデータに可搬性の利点があるが、内蔵ハードディスク装置の同容量同性能帯と比較した場合高価でコストに課題がある。
さらに、外付けハードディスク装置を内蔵ハードディスク装置として使用する場合は、装置を分解しハードディスク装置のみ取り出すことは非常な手間である。
【００１１】
以上のことから、本発明の課題は、
（Ａ）ひとつのハードディスク装置を、内蔵ハードディスク装置と短期使用の外付けハードディスク装置のどちらにも選択的に使用可能とし、双方の利点を兼ね備え、よって（Ｂ）手間なく簡易なバックアップ環境を省資源で構築でき、そのために短期使用を前提として（Ｃ）緩衝策がされ（Ｄ）静電気対策がされ（Ｅ）放熱性があり（Ｆ）安価で（Ｇ）一度外付けハードディスク装置として使用したものを内蔵ハードディスク装置として使用することができる、ハードディスク梱包箱を提供することを課題としている。
【課題を解決するための手段】
【００１２】
以上の課題を解決するために、第一発明は、電子機器に内蔵できるハードディスク装置（１）を収納し展示販売するための梱包箱（１０）を兼ね、使用者の意思によってパソコンに外付けで接続する際に簡易な筐体として利用できる梱包箱（１０）であり、材質は段ボールや段ボール紙を含む紙、またはポリプロピレン板状発泡体を含むプラスチックダンボールなどのプラスチック樹脂であり、展開及び組み立てができ、組み立てた状態で直方体の箱状であり、前記直方体は６つの面のうち広い面積の対向する２つの面が天蓋板（２１）及び底板（２０）で構成され、狭い面積の残りの４つの面が側板（２２、２２、２３、３０）で構成され、以下の構成部分ａ、ｂ、ｃ、ｄを有することを特徴とするハードディスク梱包箱。
ａ  前記側板（２２）に形成された切れ目線により開口できる電源ケーブル（２）及びインターフェースケーブル（３）の差込口（１１、１２、）
ｂ  前記天蓋板（２１）及び底板（２０）に形成された切れ目線及び折り目線により開口でき外気を取り込み排出する開口部（４０、４１）
ｃ  前記天蓋板（２１）の開口部（４１）に残った開口片が、折り目線によって内側へ断面コの字状に折られて形成され前記ハードディスク装置（１）を内側へ押さえる第一緩衝部（４５、４６）
ｄ  前記底板（２０）の開口部（４０）の両端に残った一対の開口片が、折り目線によって内側へ折られて前記ハードディスク装置（１）を両側から挟持する第二緩衝部（４２、４３、４４）と、この第二緩衝部（４２、４３、４４）に形成された切れ目線及び折り目線により断面略Ｙの字状に構成された部分と、この断面略Ｙの字状の基部で前記ハードディスク装置（１）の側面に接面する接面緩衝部（４３）と、前記断面略Ｙの字状の一方の先端で前記梱包箱（１０）の奥側の内角部に当接する当接緩衝片（４４）と、前記断面略Ｙの字状の他方の先端で前記ハードディスク装置（１）の奥側の外角部に係止する係止緩衝片（４２）。
【００１３】
また、第二発明は、さらに、前記梱包箱（１０）は、ハードディスク装置（１）の簡易な筐体として、側面（３０）が下になる縦置として利用される際に、安定のために取り付けて使用される組み立てスタンド（４）を有し、この組み立てスタンド（４）は、材質は段ボールや板紙を含む紙、またはポリプロピレン板状発泡体を含むプラスチックダンボールなどのプラスチック樹脂であり、以下の構成部分ａ、ｂ、ｃを有することを特徴とするハードディスク梱包箱である。
ａ  四角形以上の多角形で形成し梱包箱（１０）の側面（３０）よりも幅が広いスタンド底部（５０）
ｂ  前記多角形の少なくとも一対の相対する辺部で折り目線によって立ち上がる折り曲げ側板（５３）
ｃ  前記折り曲げ側板（５３）を立ち上げた状態で前記スタンド底部（５０）の四隅で、環状筒型の幅太輪ゴム（５）を係止して表裏折返し矩形平面化させ、この矩形の一対の相対する辺部を前記スタンド底部（５０）の下面に位置させ、他の一対の相対する辺部を前記折り曲げ側板（５３）の外面に位置させた前記環状筒型の幅太輪ゴム（５）。
【発明の効果】
【００１４】
第一、又は第二発明によれば、ハードディスク装置（１）を展示販売するため収納してある梱包箱（１０）を開梱し、ハードディスク装置（１）を取り出した後に、梱包箱（１０）の切れ目線により差込口（１１、１２、）を開口し電源ケーブル及びインターフェースケーブルを接続する。
【００１５】
また、切れ目線及び折り目線により開口部（４０、４１）を開口し外気を取り込み排出できる。
さらに、天蓋板（２１）の開口部（４１）に残った開口片を指で押し込むことで、折り目線によって内側へ断面コの字状に折った第一緩衝部（４５、４６）を形成し、ハードディスク装置（１）を内側へ押さえる。また、底板（２０）の開口部（４０）の両端に残った一対の開口片を指で押し込むことで、折り目線によって内側へ折った第二緩衝部（４２、４３、４４）を形成し、ハードディスク装置（１）を両側から挟持する。これにより緩衝効果がある。
【００１６】
このとき、第二緩衝部（４２、４３、４４）は、切れ目線及び折り目線により断面略Ｙの字状に構成される。この断面略Ｙの字状の基部は、ハードディスク装置（１）の側面に接面する接面緩衝部（４３）となる。断面略Ｙの字状の一方の先端は、斜めになり、梱包箱（１０）の奥側の内角部に当接する当接緩衝片（４４）となる。断面略Ｙの字状の他方の先端は、ハードディスク装置（１）の奥側の外角部に係止する係止緩衝片（４２）となる。
【００１７】
この斜めになって内角部に当接する当接緩衝片（４４）の働きで、外力が天蓋板（２１）あるいは側板（２３、３０）に加わった際の力は合力として底板（２０）へ逃がされ、優れた緩衝効果がある。
（Ａ）このように、梱包箱（１０）を開梱し、中のハードディスク装置（１）を取り出し、そのままパソコンなどの電子機器への内蔵ハードディスク装置として使用できる。
また、ハードディスク装置（１）のインターフェース端子部分に、例えばケーブル自体にＵＳＢ変換アダプター機能を有したインターフェースケーブル（３）や電源ケーブル（２）を差込口（１１、１２、）から差し込み接続し、さらに、第一緩衝部（４５、４６）や第二緩衝部（４２、４３、４４）によってハードディスク装置（１）を異なる方向から保持することにより、外付けハードディスク装置として使用できる。よって、内蔵ハードディスク装置又は短期使用の外付けハードディスク装置のどちらにも選択的に使用可能となる。
【００１８】
（Ｂ）外付けハードディスク装置として使用することで、手間なく簡易なバックアップ環境を省資源で構築できる。このとき、バックアップ用の外付けハードディスク装置として使用したのち、ハードディスクに記録された記録データを消去せずに、内蔵ハードディスク装置として使用すれば、バックアップ作業の手間が省ける。
【００１９】
（Ｃ）前述したように、第一緩衝部（４５、４６）がハードディスク装置（１）を内側へ押さえ、第二緩衝部（４２、４３、４４）がハードディスク装置（１）を両側から挟持するので、外部からの衝撃に対する緩衝効果を得る。さらに、第二緩衝部（４２、４３、４４）断面略Ｙの字状により、外力が天蓋板（２１）あるいは側板（２３、３０）に加わった際の力は合力として底板（２０）へ逃がす。また、断面略Ｙの字状の他方の先端が、ハードディスク装置（１）の奥側の外角部に係止する係止緩衝片（４４）となることで、底板（２０）からの外力によってハードディスク装置（１）が浮き上がるのを防止する。よって、優れた緩衝効果がある。
【００２０】
（Ｄ）ハードディスク梱包箱（１０）の材質が、段ボールや板紙を含む紙、またはポリプロピレン板状発泡体を含むプラスチックダンボールなどのプラスチック樹脂であることから、静電気対策がされていることになる。
（Ｅ）切れ目線及び折り目線により開口部（４０、４１）を開口し外気を取り込み排出できるので、放熱性がある。
（Ｆ）ハードディスク装置（１）を展示販売し終わったら本来は廃棄するはずの梱包箱（１０）を、簡易な筐体として利用するので、安価である。
【００２１】
（Ｇ）ハードディスク梱包箱（１０）は、材質が段ボールや板紙を含む紙、またはポリプロピレン板状発泡体を含むプラスチックダンボールなどのプラスチック樹脂であり、また、展示販売するための梱包箱（１０）として本来的に開梱しやすいものであるから、（Ａ）のように一度外付けハードディスク装置として使用した後であっても、再度開梱する要領で梱包箱（１０）を取り外せるので、容易に内蔵ハードディスク装置として使用することができる。
【００２２】
第二発明によれば、さらに、組み立てスタンドのスタンド底部（５０）は、梱包箱（１０）の側面（３０）よりも幅が広いので、縦置として使用されるハードディスク装置（１）に取り付けることで、装置を安定できる。また、環状筒型の幅太輪ゴム（５）を矩形化した一対の相対する辺部をスタンド底部（５０）の下面に位置させることで、防滑効果を得る。このとき、環状筒型の幅太輪ゴム（５）を矩形平面化させることで、ゴムのねじれによる段差がなく、より安定する。
【発明を実施するための最良の形態】
【００２３】
この発明の一実施形態を、図１から図１４に示す。
［全体概略］
図１に、この実施形態に係る梱包箱１０が、ハードディスク装置１をパソコンに外付けで接続する際に、簡易な筐体として利用されている状態を示す。
梱包箱１０は、本来、ハードディスク装置１を梱包し展示販売するための物である。材質は、段ボール紙である。全体は、直方体の箱状であり、直方体は６つの面のうち広い面積の対向する２つの面が天蓋板２１及び底板２０で構成される。狭い面積の残りの４つの面が側板２２、２２、２３、３０で構成される。
【００２４】
そして、４つのうちの一つの側板２２に形成された切れ目線により開口された差込口１１、１２へ、電源ケーブル２とインターフェースケーブル３が差込まれる。
図示しないが、インターフェースケーブル３にはケーブル自体にＵＳＢ変換アダプター機能が取り付けられている。
【００２５】
天蓋板２１及び底板２０に形成された切れ目線及び折り目線により、開口部４０、４１が開口され、外気を取り込み排出する。
開口部４０、４１に残った開口片が、折り目線によって内側へ断面コの字状に折られてハードディスク装置１を内側へ押さえ、あるいは、ハードディスク装置１を両側から挟持する緩衝部となる。
また、梱包箱１０は、この実施形態では、側面３０が下になる縦置として利用されるので、装置の安定のために、取り付けて使用されるスタンド４を有する。このスタンド４は、材質は段ボール紙であり、幅太輪ゴムが使用されて組み立てられる。
【００２６】
［開口部と緩衝部］
二つの開口部４０，４１に残った開口片により形成される第一緩衝部（４５、４６）及び第二緩衝部（４２、４３、４４）を説明する（図１〜図９、図１２〜図１４）
図４、図７、図９などに示すように、天蓋板２１の開口部４１に残った開口片が、折り目線によって内側へ断面コの字状に折られて第一緩衝部（４５、４６）が形成され、ハードディスク装置１を内側へ押さえる。
【００２７】
すなわち、開口部４１には、周囲のコの字状のミシン目の切れ目線ａと、コの字状の縦辺と平行にコの字状の先端と中央に計２条の谷折り目線ｂとが、形成されている。
切れ目線ａを指で押し切って開口させ、同時に開口片を指で押し込むと、開口片は２条の谷折り目線ｂにより断面コの字状に折られ、第一緩衝部（４５、４６）となる。コの字状の基部は緩衝縦片４５となり、コの字状の先端部は緩衝横片４６となる。緩衝横片４６によりハードディスク装置１が押さえられる（図９）。
【００２８】
図１、図５、図６、図７などに示すように、底板２０の開口部４０の両端に残った一対の開口片が、折り目線によって内側へ折られて第二緩衝部（４２、４３、４４）が形成され、ハードディスク装置１を両側から挟持する。
すなわち、開口部４０には、中央と周囲のＨの字状のミシン目の切れ目線ａが形成される。そして、このＨの字状によって分割される両領域のそれぞれの中央に、Ｈの字の中央辺に平行に、コの字状のミシン目の切れ目線ａが形成される。さらに、このコの字状の両端には、谷折り目線ｂが、Ｈの字の中央辺に平行に、形成される。
【００２９】
このＨの字状の切れ目線ａを指で押し切って開口部４０を開口させ、同時に開口部４０の両端に残った一対の開口片を指で押し込み（図５）、さらに、コの字状のミシン目の切れ目線ａを指で押し切り、谷折り目線ｂで折ると、開口部４０の両側に第二緩衝部（４２、４３、４４）が断面略Ｙの字状に構成される。
【００３０】
図９に示すように、この断面略Ｙの字状の基部は、接面緩衝部４３となって、ハードディスク装置１の側面に接面する。断面略Ｙの字状の一方の先端は、当接緩衝片４４となって、梱包箱１０の奥側の内角部に当接する。断面略Ｙの字状の他方の先端は、係止緩衝片４２となって、ハードディスク装置１の奥側の外角部に係止する。
【００３１】
［展開図］
図２に、梱包箱１０の展開図を示す。
梱包箱１０は全体が直方体の箱状であり、そのため、展開図は、大きくは６つの面を有する。このうち広い面積の対向する２つの面が天蓋板２１及び底板２０である。狭い面積の残りの４つの面が側板２２、２２、縦置天面外側板２３、縦置天面内側板３０である。
そして、一つの側板２２に形成された切れ目線ａにより、電源ケーブル２とインターフェースケーブル３が差込まれる差込口１１、１２が形成される。
また、天蓋板２１及び底板２０に形成された切れ目線ａ及び折り目線ｂ、ｃにより、底板開口部４０、天蓋板開口部４１が形成される。
開口部４１には、周囲のコの字状のミシン目の切れ目線ａと、コの字状の縦辺と平行にコの字状の先端と中央に計２条の谷折り目線ｂとが、形成されている。
２条の谷折り目線ｂによって区切られた領域の一方は、緩衝縦片４５となり、他方は緩衝横片４６となる。
開口部４０には、中央と周囲のＨの字状のミシン目の切れ目線ａが形成される。そして、このＨの字状によって分割される両領域のそれぞれの中央に、Ｈの字の中央辺に平行に、コの字状のミシン目の切れ目線ａが形成される。さらに、このコの字状の両端には、谷折り目線ｂが、Ｈの字の中央辺に平行に、形成される。
【００３２】
両領域のＨの字の中央から離れた端部は、前述した断面略Ｙの字状の基部である接面緩衝部４３となる。両領域のＨの字の中央辺に近い部分は、前述した断面略Ｙの字状の一方の先端である当接緩衝片４４となる。両領域のコの字状の切れ目線ａで囲まれた部分は、前述した断面略Ｙの字状の他方の先端である係止緩衝片４２となる。
【００３３】
縦置天面外側板２３は、強度を上げるために折り返して２重構造となるように、２重構造の裏面となる縦置天面内側板２４へと外側へ連続する。縦置天面内側板２４の外端部には、係止差込凸部２６が形成される。折り返された際に、この係止差込凸部２６が差し込まれる係止差込口２７が縦置天面内側板２３の基部に形成される。
【００３４】
縦置天面内側板３０には、後述するスタンド４が取り付けられるためのスタンド舌片差込口３５が形成される。
天蓋板２１の外端部には、この天蓋板２１で蓋をする際に用いられる天蓋板係止舌片大３１と後述する天蓋板係止舌片小３３の差込口３４が形成される。
そして、縦置天面外側板２３と縦置天面内側板２４の境目には、天蓋板係止舌片大３１を差し込む差込口３２が形成される。また、この差込口３２の中央には、天蓋板係止舌片小３３が形成される。
また、両側板２２の天蓋板２１の側にはそれぞれ鍵舌片３６延設され、梱包箱１０の組み立ての際に各鍵舌片３６の先端の鍵溝同士が係合され、梱包箱１０を強固にする。
さらに、両側板２２の縦置天面外側板２３の側にはそれぞれ舌片２８が形成され、組み立ての際に縦置天面外側板２３の内側に重なって組み立てを強固にする。
さらに、両側板２２の外側端部にはそれぞれ側板フラップ２９が形成され、組み立てた状態で、梱包箱１０の開口縁を強固にする。
【００３５】
［梱包箱組み立て］
梱包箱１０は図２に示すような展開図の形状に裁断された、折り畳み一枚もの段ボール紙で準備される。図に示されるように破線状切れ目線ａおよび谷折り目線ｂは、輸送販売後の再利用時に使用するもので梱包箱組み立て時では切断、折曲しない。
【００３６】
梱包箱の組み立ては、切れ目線ａおよび谷折り目線ｂ以外の図面の破線部について直角谷折りを基本とする。以下、順に説明する。
まず、矩形状の側板２２の両側に設けられた舌片２８と鍵舌片３６の連設部を直角谷折し、側板２２と矩形状の底板２０との連設部も直角谷折し、さらに舌片２８を覆うように、底板２０に連設する縦置天面外側板２３と天蓋受板２５と縦置天面内側板２４をそれぞれ直角谷折し、縦置天面内側板２４端縁に突起している縦置天面内側板係止差込凸部２６を底板２０に設けられている縦置天面内側板係止差込口２７に挿着係合し、次に鍵舌片３６は互いの鍵溝にて係合させる。
このように組み立てることで図３の斜視図に示す収納段階の梱包箱が形成される。
【００３７】
［収納、展示販売］
まず、梱包箱１０への収納物は、あらかじめブリスターパック、エアーパック、ＥＳＤパックなどの緩衝材が用いられて、緩衝効果と静電気対策がなされた一次梱包（図示せず）が施された３．５インチのシリアルＡＴＡ規格ハードディスク装置１である。
【００３８】
次に、幅太輪ゴム５とスタンド４などの付属品を入れ、縦置底面側板３０、天蓋板２１、天蓋板係止舌片大３１をそれぞれ直角谷折し、天蓋板係止舌片大３１を天蓋板係止舌片大差込口３２に挿着係合し、さらに天蓋板係止舌片小３３を  天蓋板係止舌片小差込口３４に挿着係合し、図４のように箱組できる。
図４は、本発明の実施の形態に係るハードディスク装置と梱包部材付属品が
収納され展示販売するときの状態を示す斜視図である。
【００３９】
［外付けハードディスク装置の簡易筐体への加工］
展示販売後は、開梱し収納物であるハードディスク装置１などを一旦梱包箱１０より取り出し、梱包箱１０を梱包箱組み立て状態と同じ状態（図３）に戻す。
次に、梱包箱１０の再利用のための下記の加工を用い構造変更（図３から図７へ）を施し、よって外付けハードディスク装置の簡易筐体（図７）を形成する。
【００４０】
（差込口１１、１２の開口）
まず、外付けハードディスク装置として接続されるインターフェースケーブル３ならびに電源ケーブル２用の電源・インターフェースケーブル差込口１１および電源差込口１２が用意されている。（電源差込口が２箇所ある点についてはハードディスク仕様の都合による。）電源・インターフェースケーブル差込口１１および電源差込口１２は、図２若しくは図３の側板２２の片側にあるミシン目の切れ目線ａに沿って、手指で押し折込みするなどして切断することで貫通穴が形成される。
【００４１】
（開口部４０の開口と第二緩衝部の形成）
次に、外付けハードディスク装置の放熱構造は自然空冷として図７の天蓋板２１および底板２０を手指で押し折込みすることにより外気を取り込む底板開口部４０と天蓋板開口部４１の通風孔が開口される。
【００４２】
この図７の底板開口部４０は、この開口部４０の外側よりハードディスク装置中辺に直交する挿入方向でハードディスク挿入可能なハードディスク装置中辺に概ね等しい辺と、ハードディスク装置の長辺より短い辺とによる矩形の開口寸法で、図３若しくは図２の底板２０にあるミシン目の切れ目線ａを、図５の底板開口部４０形成のように梱包箱１０外側から梱包箱１０内側に手指で押圧し、底板２０の谷折り目線ｂに沿って梱包箱１０内側方向に、左右対象の各二面片づつ四面片の両開き（観音開き）折曲片にて開口する。
【００４３】
底板２０の開口４０は、両開き支点のある接面緩衝部４３の二面片を、開口面に対し箱内側へ垂直に各直角折曲し、さらに左右対象の切断線部であった当接緩衝片４４の折曲先端部を、同じく左右対象に側壁片である縦置天面内側板２４または縦置底面側板３０（鍵舌片３６）と蓋片である天蓋板２１とのＬ型隅の方向に鈍角斜め方向に折曲することで、係止緩衝片４２が接面緩衝部４３との切れ目線ａにて底板ハードディスク装置側面緩衝部４３と切り離され、当接緩衝片４４と平行状態となる底板２０の開口を施す。
【００４４】
係止緩衝片４２による係止は本発明の実施の形態に非常に重要な要素であり他の角度からも図示補足する。図７で係止緩衝片４２は緩衝部４４と平行状態を形成する。
次に後述の図８のハードディスク装置１の装着で、係止緩衝片４２は収納設置  ハードディスク装置１への反作用力を保ち接面緩衝部４３と垂直に近い状態を形成する。
同じく図９と図６においても係止緩衝片４２と接面緩衝部４３と当接緩衝片４４による係止構成を同様に図示補足する。
【００４５】
このようにして第二緩衝部（４２、４３、４４）が形成されることになる。
すなわち、第二緩衝部（４２、４３、４４）は、切れ目線ａ及び折り目線ｂ、ｃにより断面略Ｙの字状に構成される。この断面略Ｙの字状の基部は、ハードディスク装置１の側面に接面する接面緩衝部４３となる。断面略Ｙの字状の一方の先端は、斜めになり、梱包箱１０の奥側の内角部に当接する当接緩衝片４４となる。断面略Ｙの字状の他方の先端は、ハードディスク装置１の奥側の外角部に係止する係止緩衝片４２となる。
この斜めになって内角部に当接する当接緩衝片４４の働きで、外力が天蓋板２１から加わった際の力Ｆ２あるいは側板２３、３０に加わった際の力Ｆ１は合力Ｆとして底板２０へ逃がされ、優れた緩衝効果がある（図９参照）。
【００４６】
（開口部４１の開口と第一緩衝部の形成）
次に、図７の天蓋板２１の開口部４１は、梱包箱１０の内寸の短辺に梱包箱１０の内寸長辺を加算し、さらにハードディスク装置長辺の減算に概ね等しい辺と、梱包箱１０の内寸の中辺より短い辺とによる矩形開口寸法で、図３若しくは図２の天蓋板２１にあるミシン目の切れ目線ａを、（図５の底板開口部形成と同様に）梱包箱外側から梱包箱内側に押圧し、天蓋板２１の谷折り目線ｂに沿って梱包箱１０の内側方向へコの字状に二度直角に折曲し、ハードディスク装置１の側面と接する緩衝縦片４５と緩衝横片４６を形成し、天蓋板２１とともに蓋閉め時に、  電源・インターフェースケーブル差込口１１および電源差込口１２側ではない  側板２２との間で緩衝スペースが形成可能な天蓋板の開口を施す。
このようにして、断面コの字状に折った第一緩衝部（４５、４６）を形成し、ハードディスク装置１を内側へ押さえる緩衝効果を有する。
【００４７】
［ハードディスク装置の装着］
次に、図７の梱包箱状態から底板開口部４０の梱包箱外側よりハードディスク装置１のトップカバー側とは逆の実装基板面側であって電源・インターフェースのコネクタ側とも逆のハードディスク装置中辺を先頭に前記ハードディスク装置中辺に直交する挿入方向でハードディスク装置を斜めに挿入し、途中よりハードディスク装置が係止緩衝片４２の反作用力を一度に損なうことなくハードディスク装置・トップカバーと底板２０が平行状態のまま電源・インターフェースケーブル差込口１１および電源差込口１２が設けられている側板２２にハードディスク装置を押しあて図８のように装着する。
【００４８】
またはハードディスク装置１を箱１０内部の所定に設置し係止緩衝片４２を
片側づつ順次装着してもよい。
この係止構造は電源・インターフェースケーブル差込口１１および電源差込口１２が設けられている側板２２を図解用に便宜取除き梱包箱内部を断面視した図９の通り、天蓋板２１の蓋閉め時に底板ハードディスク装置側面の接面緩衝部４３と係止緩衝片４２にてハードディスク装置１を縦置天面内側板２４と縦置底面側板３０（鍵舌片３６）間の両サイドから挟み込む緩衝力構造と天蓋板２１と底板２０間の緩衝力構造による２方向からの緩衝力を合成した斜め係止緩衝力が形成される。
残る方向の緩衝力は、前記天蓋板開口部４１を設けたことにより形成された  反作用を保持したコの字状の緩衝縦片４５と緩衝横片４６の折曲が天蓋板２１蓋閉め舌片係止時に緩衝力が形成される。
【００４９】
［外付けハードディスク装置の防滑］  
次に、箱組されたこの外付けハードディスク装置を横置き（平置き）状態で使用するときには、滑り止めのため図１４のように幅太輪ゴム５を２本並行に循環させ、より確実な梱包箱蓋閉め係止ができる。このように幅太輪ゴム５を設ければ、縦置き、横置き（平置き）、段積設置等のように自由な設置が可能となる。
【００５０】
［スタンドの組み立て］
縦置き使用をするときには、スタンド４を用いることができる。
図１０は、本発明の実施の形態に係るスタンド４の展開図である。スタンド４は図１０に示すような形状に裁断された、折り畳み一枚もので、スタンド底部５０、スタンド折曲舌片５１、スタンド舌片５２、スタンド折曲側板５３の５つの面で連設される段ボールで構成される。
【００５１】
スタンド４は図１０に示されるスタンド底部５０と連設する両スタンド折曲側板５３をスタンド折り畳み斜辺５４の谷折り目線ｂと山折り目線ｃに沿い四隅斜辺の加工とスタンド底部５０連設のスタンド折曲舌片５１を谷折り目線ｂにて折返す加工を施し図１１の状態とする。
【００５２】
次に、結束用環状筒型の幅太輪ゴムを用い図１１に示されるように幅太輪ゴム５を折曲げた両折曲側板５３に平行して押し当て、幅太輪ゴム５で両スタンド折曲側板５３をスタンド底部５０に引き付けながら幅太輪ゴム５をスタンド折り畳み斜辺５４で斜辺に沿い表裏折返し、スタンド４のゴム掛けをする。
【００５３】
ゴム掛けでゴム掛け自体の脱落を防ぎ図１３に示されるように縦置用スタンド底部５０の設置面によじれ、ねじれによる段差もなくスタンド４ひとつあたり平行する２本の輪ゴム脚を構成する。
【００５４】
［スタンドの取り付け］
スタンドの取り付けは図１２と図１３に示されるように前記加工の幅太輪ゴム５付きスタンド４を２つを用い、梱包箱１０の縦置底面側板３０側の長手端と側板２２の間にスタンド４のスタンド折曲舌片５１を差し込み、梱包箱１０のスタンド係止差込口３５にスタンド舌片５２を差し込むことで縦置底面側板３０の回転対称にスタンドを備え付ける。
【００５５】
これにより簡易外付けハードディスク装置としての縦置き使用状態が形成され
電源ケーブル２とインターフェースケーブル３を接続し動作させることができる。
また、幅太輪ゴム５は、スタンド４を用いない場合にはスタンド４から取除き、図１４のように梱包箱１０の全体に２本並行に循環させ梱包箱の蓋閉め係止と滑り止めに用いることができる。
【００５６】
「他の実施形態」
以上の実施形態では、梱包箱１０及びスタンド４は、材質はダンボール紙であったが、他の実施形態では、板紙またはポリプロピレン板状発泡体を含むプラスチックダンボールなどのプラスチック樹脂で折曲加工が容易な材料を材質とすることができる。
【００５７】
以上の実施形態では、スタンドの取り付けは、スタンド４の舌片５１、５２を梱包箱１０へ差し込むことで行われていたが、他の実施形態では、他の手段、例えば、両面テープで取り付けてもよい。
また、ハードディスク装置の設置方向についても図示、説明は便宜統一であり設置方向に限定しないことも勿論である。
【００５８】
「実施形態の効果」
この実施形態によれば、例えばハードディスク装置を入れ外付けハードディスク装置としＵＳＢに変換するアダプターとバックアップソフトを組み合わせ用いることで安価にバックアップ環境を構築でき、使用後も開口折曲部をテープ等で開梱初期時の状態に復元保持することで整理保管の利便性、簡便性を有しているものである。
【００５９】
また、本来ハードディスク装置は静電気放電の障害によって使用している部品の半導体デバイスやヘッドを簡単に破壊される。このような事象からブリスターパックや静電防止袋から出したハードディスク装置を持つ場合は、厳格にはイオナイザーやリストストラップ等での静電対策を施し、その上で接地板等へのタッチ放電励行後にハードディスク基板の半導体やコネクタ部の導電体に衣服も含め直接触れないようにベース側面をしっかり持つことが好ましく、例えばポリプロピレン系樹脂に帯電防止材または導電機能を加えたポリプロピレン板状発泡体や段ボール紙を外付けハードディスク装置の簡易ケースとすることは静電気対策としても有効である。
【００６０】
次に、ハードディスク装置は一般電子部品等と比較して使用温度範囲が狭く、
高温環境下にて長時間使用することは磁気データの損失などの危険性を伴い、低温環境下では保磁力が強くなるので、データを読み出すことは出来るが記録できないメディア異常が生じる。
【００６１】
その他にもハードディスク装置は急激な温湿度変化にさらされると結露を生じ、  媒体面結露で水滴とヘッドスライダとが衝突し物理異常や吸着障害などの重大な障害の原因となる。
これらの異常や障害の防止には温湿度環境に配慮することが好ましく、例えば段ボール紙またはポリプロピレン板状発泡体を含むプラスチックダンボールなどのプラスチック樹脂を外付けハードディスク装置の簡易ケースで開口部を設けることは通常のオフィース環境において梱包箱閉塞構造による保温を低減し温度変化を緩慢にする放熱効果を有しているものである。  
次に衝撃はハードディスク装置に物理異常を与えることは勿論のことで例えば  段ボール紙またはポリプロピレン板状発泡体を含むプラスチックダンボールなどのプラスチック樹脂を外付けハードディスク装置の簡易ケースに用いその材質と折曲することで係止緩衝効果を有しているものである。
【００６２】
また、幅太輪ゴムにて極めて単純且つ適宜に防滑効果のあるゴム脚である縦置用のスタンド４を構成することができる。
防滑効果は接触面及び物体の材質や質量や表面状態（凹凸など）によって定まり、滑らかなアクリル板の斜面に接するハードディスク装置を組み込んだ外付けハードディスク装置に縦置スタンド取り付けの有無にて、外付けハードディスク装置が滑り出すときの角度を測る簡易な静止摩擦係数の測定実験で歴然たる効果が確認できた。
【００６３】
このように本発明は省資源への取り組みから安価軽量で持ち運び易く、保管も  容易で静電気対策、放熱効果、係止緩衝効果、防滑効果など多くの付帯効果が得られたものである。
【図面の簡単な説明】
【００６４】
【図１】本発明の実施形態に係る梱包箱が、ハードディスク装置をパソコンに外付けで接続する際に、ハードディスク装置の簡易な筐体として利用されている状態を示すもので、縦置き使用状態でスタンドを取りつけた状態を示す斜視図である。
【図２】図１の梱包箱を使用前の状態で示す展開図である。
【図３】図１の梱包箱を組み立てて使用前で天蓋板を開けた状態で示す斜視図である。
【図４】図３の梱包箱を天蓋板が閉じた状態で示す斜視図である。
【図５】図４の梱包箱を裏返し底板の開口部を手指で押して開口する様子を示す斜視図である。
【図６】図５の底板に開口部が開口され第二緩衝部が形成された状態を示す斜視図ある。
【図７】図６の第二緩衝部のみならず、天蓋板の開口部が開口され第一緩衝部が形成された状態を示す斜視図ある。
【図８】図７の梱包箱にハードディスク装置を組み込みこんだ状態を示す斜視図である。
【図９】図８の梱包箱の天蓋板を閉じ、内部の第一緩衝部及び第二緩衝部の状態を示す横断面図である。
【図１０】本発明の実施形態に係るスタンドを示す展開図である。
【図１１】図１０のスタンドの組み立て作業を示す図である。
【図１２】図１１の組み立てられたスタンドを梱包箱に取り付ける様子を示す斜視図である。
【図１３】図１２のスタンドの取付けが終わった状態の梱包箱を下から示す斜視図である。
【図１４】本発明の他の使用形態（横（平）置き使用形態）に係る梱包箱を示す斜視図である。
【符号の説明】
【００６５】
１    ハードディスク装置
２    電源ケーブル
３    インターフェースケーブル
４    スタンド
５    幅太輪ゴム
１０  梱包箱
１１  電源・インターフェースケーブル差込口
１２  電源差込口
２０  底板
２１  天蓋板
２２  側板
２３  縦置天面外側板
２４  縦置天面内側板
２５  天蓋受板
２６  縦置天面内側板２３の係止差込凸部
２７  縦置天面内側板２３の係止差込口
２８  舌片
２９  側板フラップ
３０  縦置底面側板
３１  天蓋板係止舌片大
３２  天蓋板係止舌片大３１の差込口
３３  天蓋板係止舌片小
３４  天蓋板係止舌片小３３の差込口
３５  スタンド舌片差込口
３６  鍵舌片
４０  底板開口部
４１  天蓋板開口部
４２  係止緩衝片
４３  接面緩衝部
４４  当接緩衝片
４５  緩衝縦片
４６  緩衝横片
５０  スタンド４の底部
５１  スタンド４の折曲舌片
５２  スタンド４の舌片
５３  スタンド４の折曲側板
５４  スタンド４の折り畳み斜辺
ａ    ミシン目の切れ目線
ｂ    谷折り目線
ｃ    山折り目線
【図１】
2007320638.tif 000003
【図２】
2007320638.tif 000004
【図３】
2007320638.tif 000005
【図４】
2007320638.tif 000006
【図５】
2007320638.tif 000007
【図６】
2007320638.tif 000008
【図７】
2007320638.tif 000009
【図８】
2007320638.tif 000010
【図９】
2007320638.tif 000011
【図１０】
2007320638.tif 000012
【図１１】
2007320638.tif 000013
【図１２】
2007320638.tif 000014
【図１３】
2007320638.tif 000015
【図１４】
2007320638.tif 000016